(57)【要約】      （修正有）【課題】ユーザーが容易に調節するように、調節可能シートを有するエクササイザーを提供する。【解決手段】本考案によるエクササイザーは、ベース、所定の角位置で上記のベースに相対して回転且つ調節し得るようにこのベース上に回転可能に支持された平行四辺形支持装置３０及び支持装置上に配置され所定の位置にて上記のベースに相対して調節可能であるシート装置４０を有する。このシート装置は、ハンドル６０並びに支持装置及びシート装置をベースに調節可能に支持する支持装置とベースとの間に結合されたアクチュエーター３５を有する。ハンドグリップは、上記のハンドルに枢軸的に結合され且つ上記のアクチュエーターに結合されており、アクチュエーターを制御し、ユーザーが上記のシート装置を離れることなく上記のアクチュエーターを制御し得る。【選択図】図１
0003108445.tif 000002
【実用新案登録請求の範囲】
【請求項１】
ベース、
所定の角位置にて前記ベースに相対して回転され且つ調節され得るように、前記ベース上に回転可能に支持された支持装置、
前記支持装置で所定の位置に対して前記ベースに相対して調節され得るように、前記支持装置上に配置され、第１ハンドルを上に配置して有するシート装置、
所定の位置にて前記ベースに対して前記支持装置及び前記シート装置を調節可能に支持するように、前記支持装置と前記ベースとの間に結合された第１アクチュエーター、並びに
前記ベースに相対して、前記支持装置及び前記シート装置を調節する前記第１アクチュエーターを制御するように、且つ、ユーザーが前記シート装置を離れることなく前記第１アクチュエーターを制御し得るように、前記第１ハンドルに枢軸的に結合され前記第１アクチュエーターに結合された第１ハンドグリップ、
を有することを特徴とするエクササイザー。
【請求項２】
前記支持装置は、平行四辺形構造を形成するように、回転アクスルで前記ベース上に回転可能に取り付けられた２つのバーと、回転ピンで前記バーの上部分に枢軸的に固定されたロッドとを有することを特徴とする請求項１に記載のエクササイザー。
【請求項３】
前記シート装置は、前記シート装置を前記の平行四辺形支持装置に調節可能に固定するように、前記ロッド上に摺動可能且つ調節可能に配置されたスリーブを有することを特徴とする請求項２に記載のエクササイザー。
【請求項４】
前記シート装置は、所定の角位置で、前記スリーブに相対して回転且つ調節し得るように、回転シャフトで前記スリーブ上に回転可能に結合されたシート部材を有することを特徴とする請求項３に記載のエクササイザー。
【請求項５】
前記シート部材は、前記スリーブに相対して前記シート部材の回転運動を制限するように、前記スリーブから延びるファスナーを摺動可能に受ける、該部材に形成されたスロットを有する伸張部を有することを特徴とする請求項４に記載のエクササイザー。
【請求項６】
前記シート装置は、該装置上に配置された回転シート背部と、該シート背部に結合された第２アクチュエーターとを有し、所定の角位置で前記シート装置に相対して該シート背部を調節且つ支持することを特徴とする請求項１に記載のエクササイザー。
【請求項７】
前記シート背部は、空気の循環を目的として、該背部に形成された複数の開口部を有することを特徴とする請求項６に記載のエクササイザー。
【請求項８】
前記シート装置は、該装置上に配置された第２ハンドルと、該第２ハンドルに枢軸的に結合され前記第２アクチュエーターに結合された第２ハンドグリップとを有し、前記シート装置に相対して前記シート背部を調節する前記第２アクチュエーターを制御し且つユーザーが前記シート装置を離れることなく前記第２アクチュエーターを制御し得ることを特徴とする請求項６に記載のエクササイザー。
【請求項９】
前記シート装置は、前記第１アクチュエーターを制御するように、前記第１ハンドル上に結合されたリモートコントロール装置を有することを特徴とする請求項１に記載のエクササイザー。
【請求項１０】
サイクルエクササイズを実行するように、前記ベースから伸張するポストと、クランクにて前記ポストに結合されたフットペダルのペアとを有することを特徴とする請求項１に記載のエクササイザー。
【考案の詳細な説明】
【技術分野】
【０００１】
本考案は、エクササイザーに係り、特に、ユーザーに容易に調節される調節可能シートを有するエクササイザーに関する。
【背景技術】
【０００２】
例えば、サイクルエクササイザーなど種々のタイプに典型的なエクササイザーが開発されており、ユーザーを支持するためその上に配置されたシートを備える。ユーザーがこのシートの上で快適に支持され得るように、このシートを和らげるように、且つ、従って、ユーザーを和らげるように、種々のタイプの典型的なクッション装置が設けられている。
【０００３】
例えば、Ｈａｌｓらによる特許文献１は、典型的なサイクルエクササイザーの一つを開示し、これは、ユーザーを支持するための平行四辺形構造で枢軸的に配置され支持されたシートと、シートを和らげるように、従ってユーザーを和らげるようにこの平行四辺形構造に配置されたスプリングバイアスのクッション装置とを備える。
【０００４】
しかしながら、この平行四辺形構造は、シート又はその他の支持ベースに強固に固定されておらず、シートは、支持ベースに強固に固定されておらず、且つ、ユーザーは、この平行四辺形構造で支持ベース上に安定して固定されない可能性がある。
【０００５】
この出願人は、他のタイプのサイクルエクササイザーを開発しており、これは、Ｋｕｏらにより、特許文献２として登録されている。この発明は、ユーザーを支持するため、平行四辺形構造でその上に枢軸的に配置又は支持されたシートと、種々の選択した高さ又は位置で支持ベースにこの平行四辺形構造をロックするためのロックロッドとを備える。
【０００６】
しかしながら、選択した高さ又は位置でこの平行四辺形構造を支持ベースに対して調節する必要がある場合、ユーザーは、シートから移動する必要があり、その後、ロックロッドを作動する必要があり、且つ、支持ベースに相対して必要又は選択した高さ又は位置に平行四辺形構造を移動又は調節する必要があり、その後、ロッドロックをリリースする必要があり、支持ベースに対して必要又は選択した高さ又は位置で平行四辺形構造をロッドロックで固定可能とする必要がある。
【０００７】
引用した典型的なサイクルエクササイザーは、支持ベースに相対して必要又は選択した高さ又は位置で平行四辺形構造を強固に固定する支持装置を有さず、且つ、ユーザーが支持ベースに相対して必要又は選択した高さ又は位置で平行四辺形構造を簡単に且つ即座に調節可能とする調節装置を有さない。
【特許文献１】米国特許第６，０８９，６５６号明細書
【特許文献２】米国特許第６，５６５，４８７号明細書
【考案の開示】
【考案が解決しようとする課題】
【０００８】
本考案は、常套的なサイクルエクササイザーに係る上述の欠点を緩和及び／又は防止する。
【０００９】
本考案の初期的な目的は、ユーザーが容易に調節するように、調節可能シートを有するエクササイザーを提供することである。
【００１０】
本考案の他の目的は、必要とし或いは選択した高さ又は位置で支持ベースに相対して強固に固定され得る平行四辺形構造を有する調節可能シートを含むエクササイザーを提供することである。
【課題を解決するための手段】
【００１１】
本考案の一態様によると、本考案が提供するエクササイザーは、ベースと、ベースに相対して所定の角度位置に回転及び調節され得るようにベース上に回転可能に支持された平行四辺形支持装置と、ベースに対して上記の平行四辺形支持装置で所定の位置に調節され得るように平行四辺形支持装置上に配置されたシート装置とを備え、このシート装置は、その上に配置された第１ハンドル；所定の位置で上記のベースに対して平行四辺形支持装置及びシート装置を調節可能に支持するように平行四辺形支持装置とベースとの間に結合された第１アクチュエーター；並びにユーザーがシート装置を離れることなく第１アクチュエーターを制御し得るようにベースに相対して平行四辺形支持装置及びシート装置を調節する第１アクチュエーターを制御し、第１ハンドルに枢軸的に結合され且つ第１アクチュエーターに結合された第１ハンドグリップ；を有する。
【００１２】
この平行四辺形支持装置は、ベース上で回転アクスルで回転可能に取り付けられた２つのバーと、回転ピンでバーの上部分に枢軸的に固定されたロッドとを有し、平行四辺形構造を形成する。
【００１３】
上記のシート装置は、シート装置を平行四辺形支持装置に対して調節可能に固定するように、ロッド上に摺動可能且つ調節可能に配置されたスリーブを有する。このシート装置は、スリーブに相対して所定の角位置にてシート部材が回転且つ調節し得るように、回転シャフトにてスリーブ上に回転可能に結合されたシート部材を有する。
【００１４】
このシート部材は、スリーブから伸張されたファスナーを摺動可能に受けるようにこれに形成されたスロットを有する伸張部を有し、スリーブに相対したシート部材の回転運動を制限する。
【００１５】
シート装置は、この上に配置された回転シート背部と、このシート背部に結合された第２アクチュエーターとを有し、所定の角位置でシート装置に相対してシート背部を調節且つ支持する。このシート背部は、空気の循環を目的として、この中に形成された複数の開口部を有する。
【００１６】
シート装置は、これに配置された第２ハンドルと、第２ハンドルに枢軸的に結合され且つ第２アクチュエーターに結合された第２ハンドグリップとを有し、シート装置に相対してシート背部を調節する第２アクチュエーターを制御し得るように、且つ、ユーザーがシート装置から離れることなく第２アクチュエーターを制御し得るようになっている。
【００１７】
また、シート装置は、第１アクチュエーターを制御するため、第１ハンドル上に結合されたリモートコントロール装置を有してもよい。ベースには、さらにポストが設けられ延びていてもよく、且つ、サイクルエクササイズを実行するため、クランクにてポストに結合されたフットペダルのペアが設けられていてもよい。
【００１８】
本考案のさらなる目的及び利点は、適宜添付した図面の説明文を参照して、以下にする詳細な説明を注意深く読むことにより理解されるだろう。
【考案の効果】
【００１９】
本考案によるエクササイザーは、ユーザーを安定して保持し、且つ所定の角位置にてエクササイザーを離れることなく容易に調節可能である。
【考案を実施するための最良の形態】
【００２０】
最初に図１乃至図３を参照すると、本考案によるエクササイザーは、前方部分１４及び／又は後方部分１５に横方向に結合された一つ以上の横方向ビーム１２、１３を有する長手ビーム１１を含むベース１０を有し、ベース１０の領域及び安定性を増加させ、ベース１０が地面又は種々の支持表面上に安定に支持され得るようにされている。
【００２１】
ポスト２０は、ベース１０の前方部分１４から上方に延びるように或いはベース１０上に配置され、エクササイザーの種々の情報を表示するため、この上にディスプレイ２１又は同様の部材を有し、且つ、サイクルエクササイズをユーザーに実行し得るように、クランク２３でこれに結合されたフットペダル２２のペアを有する。エクササイザーのサイクリング機構は、典型的であって、ハウジング２４内にシールドされており、その詳細については説明を省略する。
【００２２】
平行四辺形支持装置３０は、一つ以上のフロントバー３１と一つ以上のリアバー３２とを有し、そのそれぞれは、回転アクスル１７、１８でベース１０の後方部分１５に回転可能又は枢軸可能に結合された下部分を有し、且つ、平行四辺形支持装置３０は、平行四辺形構造を形成するように、回転ピン３４でフロントバー３１、３２の上部分に回転可能又は枢軸可能に結合されたロッド３３を有し、ベース１０に相対して平行四辺形支持装置３０が回転し得るよう且つベース１０に相対して上方、下方、後方及び前方に調節し得るようにされている。
【００２３】
ベース１０と、ロッド３３などの支持装置３０等平行四辺形支持装置３０との間に、ボルトやチューブ状の調節装置、水圧や空気圧制御のシリンダーやこれに類似する部材などの拡張可能或いは調節可能アクチュエーター３５をさらに設け且つ結合してもよく、所定の角位置又は高さでベース１０に相対して支持装置３０のロッド３３を調節及び支持する。例えば、上記のボルトやチューブ状の調節装置は、互いにネジ締めされベース１０と平行四辺形支持装置３０との間で結合されるボルト及びチューブを有してもよく、ベース１０に相対して支持装置３０を調節及び支持する。
【００２４】
シート装置４０は、平行四辺形支持装置３０をロッド３３上に摺動可能且つ調節可能に結合されファスナーやラッチ（図示せず）でロッド３３に結合可能なスリーブ４１を有し、種々の所定の位置で平行四辺形支持装置３０のロッド３３に沿ってシート装置４０を調節され得る。シート装置４０は、回転シャフト４３でスリーブ４１に枢軸可能又は回転可能に結合されたシート部材４２を有し、種々の所定の角位置でスリーブ４１に相対してシート部材４２が回転或いは調節され得るようになっている（図６）。
【００２５】
シート部材４２は、これに形成された楕円及び／又は曲線スロット４５を有する前方伸張部４４を有し、スリーブ４１に相対してシート部材４２の回転運動を制限するように、スリーブ４１から延びるファスナー４６を回転可能に受ける。ファスナー４６は、シート部材４２の前方伸張部４４をスリーブ４１に結合してもよく、種々の所定の角位置にて、シート部材４２をスリーブ４１に調節可能に結合する（図６）。シート部材４２は、その上に快適にユーザーを支持するように、その上に配置されたシートクッション４７を有する。
【００２６】
シート装置４０は、回転ポール４９でシート部材４２に枢軸可能又は回転可能に結合されるなどして、その上に枢軸可能又は回転可能に配置されたシート背部４８を有し、種々の必要とされ或いは所定の角位置で、シート部材４２又はシート装置４０に相対してシート背部４８を回転又は調節し得るようにされている（図５）。シート背部４８は、空気を循環させる目的で、その中に形成された複数の開口部５０を好ましく有し、且つ、種々の物体を受け或いは保存するため、それに結合された一つ以上のポケット５１を好ましく有する。
【００２７】
ボルトやチューブ状の調節装置、水圧や空気圧制御のシリンダーやこれに類似する部材などの伸張可能或いは調節可能アクチュエーター５３は、シート部材４２又は、平行四辺形支持装置３０のロッド３３などの平行四辺形支持装置３０と、シート背部４８との間に設けられ且つ結合されてもよく、種々の所定の角位置で、シート部材４２又は平行四辺形支持装置３０に相対してシート背部４８を調節及び支持する。
【００２８】
シート装置４０は、シート部材４２上に取り付けるなどして、この上に配置された２つのハンドル６０、６１と、このハンドル６１、６２にそれぞれ枢軸的に取り付けられケーブル６４、６５でそれぞれアクチュエーター３５、５３に結合された２つのコントロールハンドグリップ６２、６３とをさらに有してもよく、それぞれ、アクチュエーター３５、５３を制御し、且つ、ベース１０に相対してシート装置４０及び平行四辺形支持装置３０を調節し、且つ、シート部材４２又はシート装置４０にそれぞれ相対してシート背部４８を調節する。
【００２９】
コントロールハンドグリップ６２、６３は、ハンドル６０、６１に枢軸的に結合されることに留意すべきであって、ハンドル６０、６１を保持又は握るユーザーの手で容易に調節又は作動され得るようになり、ユーザーが、シート装置４０から離れることなく、ベース１０に相対してシート装置４０を調節するように、且つシート部材４２に相対してシート背部４８を調節するように、アクチュエーター３５、５３を作動し得るようになる。
【００３０】
図２に示すように、リモートコントロール装置６６は、ハンドル６０、６１の一つにさらに選択的に設けられ或いは結合されてもよく、シート装置４０から離れることなく、ベース１０に相対してシート装置４０を調節するように且つ快適にシート部材４２に相対してシート背部４８を調節するように、ユーザーがアクチュエーター３５、５３を作動させ得る。
【００３１】
従って、本考案によるエクササイザーは、ユーザーにより容易に調節されるための調節可能シートを有し、且つ、種々の必要とされ且つ所定の高さ又は位置で、支持ベースに相対して強固に支持され得る平行四辺形構造を有する。
【００３２】
本考案を特定の程度で述べてきたが、本願の開示は、例示的になされたものであって、部品の詳細な構造及び配置の組み合わせにおける種々の変更は、本考案の精神及び本考案の請求の範囲から逸脱することなく保存され得る。
【図面の簡単な説明】
【００３３】
【図１】本考案によるエクササイザーの後部斜視図である。
【図２】本考案によるエクササイザーの前部斜視図である。
【図３】本考案によるエクササイザーの側面概略図である。
【図４】図３と同様のエクササイザーに関する側面概略図であって、エクササイザーの動作を示す。
【図５】図３と同様のエクササイザーに関する側面概略図であって、エクササイザーの動作を示す。
【図６】図３と同様のエクササイザーに関する側面概略図であって、エクササイザーの動作を示す。
【符号の説明】
【００３４】
１０    ベース
１１    長手ビーム
１２    横方向ビーム
１３    横方向ビーム
１４    前方部分
１５    後方部分
１７    回転アクスル
１８    回転アクスル
２０    ポスト
２１    ディスプレイ
２２    フットペダル
２３    クランク
２４    ハウジング
３０    平行四辺形支持装置
３１    フロントバー
３２    リアバー
３３    ロッド
３４    回転ピン
３５    アクチュエーター
４０    シート装置
４１    スリーブ
４２    シート部材
４３    回転シャフト
４４    前方伸張部
４５    スロット
４６    ファスナー
４７    シートクッション
４８    シート背部
４９    回転ポール
５０    開口部
５１    ポケット
５３    アクチュエーター
６０    ハンドル
６１    ハンドル
６２    コントロールハンドグリップ
６３    コントロールハンドグリップ
６４    ケーブル
６５    ケーブル
６６    リモートコントロール装置
【図１】
0003108445.tif 000003
【図２】
0003108445.tif 000004
【図３】
0003108445.tif 000005
【図４】
0003108445.tif 000006
【図５】
0003108445.tif 000007
【図６】
0003108445.tif 000008